(57)【特許請求の範囲】
【請求項１】
少なくとも一つの蓄電素子と、
前記蓄電素子に隣接するスペーサであって、冷却風が流通可能な通風路を前記蓄電素子との間に形成するスペーサと、を備え、
前記スペーサは、前記通風路に面する位置であって前記通風路での冷却風の流通方向における前記蓄電素子に隣接する位置において、該蓄電素子を挟んで隣り合うスペーサと対向する対向部を有し、
前記蓄電素子の両側に配置されるスペーサ同士の対向する一対の対向部における一方の対向部は、前記一対の対向部における他方の対向部に向けて延びる延出部を有し、
前記他方の対向部は、前記一対の対向部同士が対向する第一方向及び前記冷却風の流通方向と直交する第二方向に対して傾斜する傾斜面を有し、
前記延出部は、前記他方の対向部の前記傾斜面の少なくとも一部と接することを特徴とする蓄電装置。
【請求項２】
前記延出部は、前記傾斜面との接触によって弾性変形可能である、請求項１に記載の蓄電装置。
【請求項３】
前記他方の対向部は、前記傾斜面を一対有し、
前記一対の傾斜面は、前記一対の対向部同士が対向する方向に沿って前記一方の対向部から離れるにしたがって間隔が狭くなるように前記第二方向に間隔を空けて対面し、
前記一方の対向部は、前記一対の傾斜面と対向する位置に、前記延出部を一対有し、
前記一対の延出部は、該一対の延出部における先端同士の間隔が前記一対の傾斜面における前記一方の対向部側の端部での該傾斜面同士の間隔より小さく且つ前記一対の傾斜面における前記一方の対向部と反対側の端部での該傾斜面同士の間隔より大きくなるように、前記第二方向に間隔を空けて並ぶ、請求項２に記載の蓄電装置。
【請求項４】
前記一方の対向部は、前記延出部を複数有し、
前記他方の対向部は、前記傾斜面を前記複数の延出部と対応する数有する、請求項２又は３に記載の蓄電装置。
【請求項５】
少なくとも一つの蓄電素子と、
前記蓄電素子に隣接するスペーサであって、冷却風が流通可能な通風路を前記蓄電素子との間に形成するスペーサと、を備え、
前記スペーサは、前記通風路に面する位置であって前記通風路での冷却風の流通方向における前記蓄電素子に隣接する位置において、該蓄電素子を挟んで隣り合うスペーサと対向する対向部を有し、
前記蓄電素子の両側に配置されるスペーサ同士の対向する一対の対向部における一方の対向部は、前記一対の対向部における他方の対向部に向けて延びる延出部を有し、
前記延出部は、前記一対の対向部同士が対向する第一方向及び前記冷却風の流通方向と直交する第二方向に対して傾斜する傾斜面を有し、
前記他方の対向部は、前記延出部の傾斜面の少なくとも一部と接することを特徴とする蓄電装置。
【請求項６】
少なくとも一つの蓄電素子と、
前記蓄電素子に隣接するスペーサであって、冷却風が流通可能な通風路を前記蓄電素子との間に形成するスペーサと、を備え、
前記スペーサは、前記通風路に面する位置であって前記通風路での冷却風の流通方向における前記蓄電素子に隣接する位置において、該蓄電素子を挟んで隣り合うスペーサと対向する対向部を有し、
前記蓄電素子の両側に配置されるスペーサ同士の対向する一対の対向部における一方の対向部は、前記一対の対向部における他方の対向部に向けて延びる延出部を有し、
前記延出部は、前記一対の対向部同士が対向する第一方向及び前記冷却風の流通方向と直交する第二方向に対して傾斜する第一の傾斜面を有し、
前記他方の対向部は、前記一対の対向部同士が対向する第一方向及び前記冷却風の流通方向と直交する第二方向に対して傾斜する第二の傾斜面を有し、
前記第一の傾斜面は、前記第二の傾斜面の少なくとも一部と接することを特徴とする蓄電装置。
【請求項７】
前記第一の傾斜面に対する前記第二の傾斜面の角度αが、０°＜αである、請求項６に記載の蓄電装置。
【請求項８】
前記延出部は、前記冷却風の流通方向における前記他方の対向部の全域において当該他方の対向部に接触する、請求項１〜７のいずれか１項に記載の蓄電装置。
【発明の詳細な説明】
【技術分野】
【０００１】
本発明は、蓄電素子を備える蓄電装置に関する。
【背景技術】
【０００２】
電気自動車等の各種機器では容量の大きな電源が必要なため、複数の蓄電素子を備えた蓄電装置が用いられる。この種の蓄電装置は、図１１乃至図１３に示すように、蓄電素子５０と、蓄電素子５０に隣接するスペーサ５１と、を備える。このスペーサ５１は、両側に蓄電素子５０が配置され、冷却風が流通可能な通風路５１０を隣り合う蓄電素子５０間に形成する。また、スペーサ５１は、通風路５１０に面する位置であって隣り合う蓄電素子５０間に形成された通風路５１０での冷却風の流通方向における蓄電素子５０の手前側の位置において、蓄電素子５０を挟んで隣り合うスペーサ５１と対向する対向部５１１を有する。
【０００３】
この蓄電装置５では、蓄電素子５０の両側に配置されるスペーサ５１同士の対向部５１１間に、対向部５１１の通風路５１０側の端縁５１２から通風路５１０と反対側の端縁５１３まで延びる隙間５１４が形成されている。このため、蓄電素子５０を冷却するための冷却風が通風路５１０に供給されると、この隙間を通じて冷却風の一部が通風路５１４から蓄電装置５の外部に漏れ、これにより、蓄電装置５における蓄電素子５０の冷却効果が低減する。
【先行技術文献】
【特許文献】
【０００４】
【特許文献１】特開２０１０−１５７４５０号公報
【発明の概要】
【発明が解決しようとする課題】
【０００５】
そこで、本発明は、上記問題に鑑み、蓄電素子間に形成された通風路に供給される冷却風が外部に漏れ難い蓄電装置を提供することを課題とする。
【課題を解決するための手段】
【０００６】
本発明に係る蓄電装置は、
少なくとも一つの蓄電素子と、
前記蓄電素子に隣接するスペーサであって、冷却風が流通可能な通風路を前記蓄電素子との間に形成するスペーサと、を備え、
前記スペーサは、前記通風路に面する位置であって前記通風路での冷却風の流通方向における前記蓄電素子に隣接する位置において、該蓄電素子を挟んで隣り合うスペーサと対向する対向部を有し、
前記蓄電素子の両側に配置されるスペーサ同士の対向する一対の対向部における一方の対向部は、前記一対の対向部における他方の対向部に向けて延びる延出部を有し、
前記延出部は、前記他方の対向部に接することを特徴とする。
【０００７】
かかる構成によれば、一対の対向部間において一方の対向部から他方の対向部まで延びる延出部によって、該対向部間を対向部の通風路側の端縁から通風路と反対側の端縁に向かう空気の流れが妨げられる。これにより、一対の対向部間を通じて冷却風が蓄電装置の外部へ漏れるのを抑えることができる。
【０００８】
前記蓄電装置において、
前記他方の対向部は、前記一対の対向部同士が対向する第一方向及び前記冷却風の流通方向と直交する第二方向に対して傾斜する傾斜面を有し、
前記延出部は、前記傾斜面の少なくとも一部と接してもよい。
【０００９】
かかる構成によれば、延出部と傾斜面との接触部位が第二方向と交差する方向に延びるように、延出部と傾斜面とが接する。これにより、該対向部間を対向部の通風路側の端縁から通風路と反対側の端縁に向かう空気の流れがより効果的に妨げられる。
【００１０】
前記蓄電装置において、
前記延出部は、前記傾斜面との接触によって弾性変形可能であることが好ましい。
【００１１】
かかる構成によれば、延出部が傾斜面に沿って弾性変形可能であるため、製造誤差等によって対向部同士の間隔が狭くなっていても、この間隔の変動が前記弾性変形によって吸収される。即ち、製造誤差等によって対向部同士の間隔が狭くなっていても、延出部が当接面に沿って弾性変形することで傾斜面に接した状態が維持される。
【００１２】
前記蓄電装置において、
前記他方の対向部は、前記傾斜面を一対有し、
前記一対の傾斜面は、前記一対の対向部同士が対向する方向に沿って前記一方の対向部から離れるにしたがって間隔が狭くなるように前記第二方向に間隔を空けて対面し、
前記一方の対向部は、前記一対の傾斜面と対向する位置に、前記延出部を一対有し、
前記一対の延出部は、該一対の延出部における先端同士の間隔が前記一対の傾斜面における前記一方の対向部側の端部での該傾斜面同士の間隔より小さく且つ前記一対の傾斜面における前記一方の対向部と反対側の端部での該傾斜面同士の間隔より大きくなるように、前記第二方向に間隔を空けて並ぶことが好ましい。
【００１３】
かかる構成によれば、対向部同士の間隔が狭くなるほど、一対の傾斜面によって先端同士の間隔がより狭くなるように一対の延出部が弾性変形させられるため、対向部同士の間隔を元に戻そうとする力が強くなる。このように、隣り合うスペーサ同士が弾性体によって連結されているのと同視できる状態となっているため、蓄電装置における振動に対する耐性が向上する。
【００１４】
前記蓄電装置において、
前記一方の対向部は、前記延出部を複数有し、
前記他方の対向部は、前記傾斜面を前記複数の延出部と対応する数有してもよい。
【００１５】
かかる構成によれば、複数の延出部によって、一対の対向部間を対向部の通風路側の端縁から通風路と反対側の端縁に向かう空気の流れが妨げられる。これにより、一対の対向部間を通じて冷却風が蓄電装置の外部へ漏れるのをより効果的に抑えることができる。
【００１６】
前記蓄電装置において、
前記延出部は、前記一対の対向部同士が対向する第一方向及び前記冷却風の流通方向と直交する第二方向に対して傾斜する傾斜面を有し、
前記他方の対向部は、前記延出部の傾斜面の少なくとも一部と接する。
【００１７】
かかる構成によれば、延出部の傾斜面と対向部との接触部位が第二方向と交差する方向に延びるように、延出部と傾斜面とが接する。これにより、該対向部間を対向部の通風路側の端縁から通風路と反対側の端縁に向かう空気の流れがより効果的に妨げられる。
【００１８】
前記蓄電装置において、
前記延出部は、前記一対の対向部同士が対向する第一方向及び前記冷却風の流通方向と直交する第二方向に対して傾斜する第一の傾斜面を有し、
前記他方の対向部は、前記一対の対向部同士が対向する第一方向及び前記冷却風の流通方向と直交する第二方向に対して傾斜する第二の傾斜面を有し、
前記第一の傾斜面は、前記第二の傾斜面の少なくとも一部と接してもよい。
【００１９】
かかる構成によれば、第一の傾斜面と第二の傾斜面との接触部位が第二方向と交差する方向に延びるように、延出部（第一の傾斜面）と前記他方の対向部（第二の傾斜面）とが接する。これにより、該対向部間を対向部の通風路側の端縁から通風路と反対側の端縁に向かう空気の流れがより効果的に妨げられる。
【００２０】
前記蓄電装置において前記第一の傾斜面及び前記第二の傾斜面が設けられた場合、
前記第一の傾斜面に対する前記第二の傾斜面の角度αが、０°＜αであることが好ましい。
【００２１】
第一の傾斜面と第二の傾斜面とが平行だと、スペーサを製造する際の製造誤差によって第一の傾斜面と第二の傾斜面との間に隙間が生じる場合がある。しかし、上記構成のように、角度αが０°より大きい、即ち、第一の傾斜面と第二の傾斜面とが平行で無ければ、前記製造誤差に起因する隙間の発生を防ぐことができる。
【００２２】
前記蓄電装置において、
前記延出部は、前記冷却風の流通方向における前記他方の対向部の全域において当該他方の対向部に接触することが好ましい。
【００２３】
かかる構成によれば、冷却風の流通方向における対向部間の全域において、該対向部間を対向部の通風路側の端縁から通風路と反対側の端縁に向かう空気の流れが妨げられる。これにより、一対の対向部間を通じて冷却風が蓄電装置の外部へ漏れるのをより効果的に抑えることができる。
【発明の効果】
【００２４】
以上より、本発明によれば、蓄電素子間に形成された通風路に供給される冷却風が外部に漏れ難い蓄電装置を提供することができる。
【図面の簡単な説明】
【００２５】
【図１】図１は、本発明の一実施形態に係る蓄電装置の斜視図である。
【図２】図２は、同実施形態に係る蓄電装置の蓄電素子の斜視図である。
【図３】図３は、同実施形態に係る蓄電装置の蓄電素子の正面図である。
【図４】図４は、同実施形態に係る蓄電装置の分解斜視図である。
【図５】図５は、同実施形態に係る蓄電装置の内部スペーサ及び外部スペーサ及び蓄電素子の斜視図である。
【図６】図６は、同実施形態に係る蓄電装置の蓄電素子及びスペーサの側面図である。
【図７】図７は、同実施形態に係る蓄電装置の拡大図であって、図６における領域ＶＩＩの拡大図である。
【図８】図８は、同実施形態に係る蓄電装置の拡大図であって、図６における領域ＶＩＩＩの拡大図である。
【図９】図９は、同実施形態に係る蓄電装置の拡大図であって、図６における領域ＩＸの拡大図である。
【図１０】図１０は、本発明の他実施形態に係る蓄電装置の拡大図である。
【図１１】図１１は、従来の蓄電装置の側面図である。
【図１２】図１２は、従来の蓄電装置の拡大図であって、スペーサにおける対向部の近傍の領域の拡大図である。
【図１３】図１３は、従来の蓄電装置の分解斜視図である。
【発明を実施するための形態】
【００２６】
以下、本発明の蓄電装置の一実施形態について、図面を参照しつつ説明する。尚、本実施形態の各構成部材の名称は、本実施形態におけるものであり、背景技術における各構成部材の名称と異なる場合がある。
【００２７】
蓄電装置は、図１に示すように、蓄電素子１と、該蓄電素子１に隣り合うスペーサ２と、蓄電素子１及びスペーサ２をひとまとめに保持する保持部材３とを備える。保持部材３は、導電材料により成形される。これに伴い、蓄電装置は、蓄電素子１と保持部材３との間に配置されるインシュレータ４を備える。
【００２８】
蓄電素子１は、図２及び図３に示すように、正極及び負極を含む電極体と、電極体を収容するケース１０と、ケース１０の外面上に配置された一対の外部端子１１とを備える。
【００２９】
ケース１０は、開口を有するケース本体１００と、ケース本体１００の開口を閉じる蓋板１０１であって、外面上に一対の外部端子１１が配置される蓋板１０１とを有する。
【００３０】
ケース本体１００は、閉塞部１００ａと（図３参照）、該閉塞部１００ａを取り囲むように、該閉塞部１００ａの周縁に接続された筒状の胴部１００ｂとを備える。
【００３１】
胴部１００ｂは、間隔をあけて互いに対向する一対の第一壁１００ｃと、一対の第一壁１００ｃを挟んで互いに対向する一対の第二壁１００ｄとを備える。
【００３２】
第一壁１００ｃ及び第二壁１００ｄのそれぞれは、矩形状に形成される。すなわち、第一壁１００ｃ及び第二壁１００ｄのそれぞれの表面は、平坦面であり、四角形状の領域とされている。第一壁１００ｃ及び第二壁１００ｄは、互いの端縁を突き合わせた状態で隣り合って配置される。これに伴い、隣り合う第一壁１００ｃの端縁及び第二壁１００ｄの端縁同士は、全長に亘って接続される。これにより、胴部１００ｂは、角筒状に形成されている。胴部１００ｂの一端は、閉塞部１００ａによって閉塞されている。これに対し、胴部１００ｂの他端は、開口している。ケース１０では、この開口が蓋板１０１によって閉塞されている。
【００３３】
本実施形態において、第一壁１００ｃの表面積は、第二壁１００ｄの表面積よりも広くなっている。これに伴い、胴部１００ｂは、扁平角筒状に形成される。
【００３４】
本実施形態に係る蓄電装置は、複数の蓄電素子１を備える。複数の蓄電素子１のそれぞれは、一方向に整列する。本実施形態において、複数の蓄電素子１のそれぞれは、ケース１０の第一壁１００ｃを一方向に向けて整列している。蓄電装置は、隣り合う二つの蓄電素子１の外部端子１１同士を電気的に接続するバスバーを備える。
【００３５】
なお、以下の説明において、便宜上、蓄電素子１の整列する方向（第一方向）をＸ軸方向という。また、蓄電素子１の整列する方向（Ｘ軸方向）とそれぞれ直交すると共に互いに直交する二軸方向のうちの一つの方向（第二方向）をＺ軸方向といい、残りの一つの方向をＹ軸方向ということとする。これに伴い、各図面には、Ｘ軸方向、Ｙ軸方向、及びＺ軸方向のそれぞれに対応する直交三軸（座標軸）が補助的に図示されている。
【００３６】
スペーサ２は、絶縁性を有する。スペーサ２は、蓄電素子１のケース１０（胴部１００ｂの第一壁１００ｃ）と隣り合うベースと、該ベースに隣り合う蓄電素子１の位置ずれを防止する規制部とを有する。
【００３７】
スペーサ２について、より具体的に説明する。蓄電装置は、上述のように、複数の蓄電素子１を備える。これに伴い、蓄電装置は、図４に示すように、２種類のスペーサ２（２Ａ，２Ｂ）を備える。すなわち、蓄電装置は、スペーサ２として、二つの蓄電素子１間に配置されるスペーサ（以下、内部スペーサという）２Ａと、複数の蓄電素子１のうちの最も端にある蓄電素子１に隣り合うスペーサ（以下、外部スペーサという）２Ｂとを備える。
【００３８】
まず、内部スペーサ２Ａについて説明する。内部スペーサ２Ａは、図５に示すように、蓄電素子１（ケース本体１００の第一壁１００ｃ）に隣り合うベース２０Ａと、該ベース２０Ａに隣り合う二つの蓄電素子１の位置ずれを防止する規制部２１Ａとを有する。
【００３９】
内部スペーサ２Ａのベース２０Ａは、二つの蓄電素子１に挟み込まれる。そのため、内部スペーサ２Ａのベース２０Ａは、隣り合う二つの蓄電素子１のうちの一方の蓄電素子１と対向する第一面と、該第一面とは反対側の第二面であって、前記二つの蓄電素子１のうちの他方の蓄電素子１と対向する第二面とを有する。
【００４０】
内部スペーサ２Ａのベース２０Ａは、蓄電素子１の蓋板１０１に対応する位置に配置される第一端と、該第一端とは反対側の第二端であって、蓄電素子１の閉塞部１００ａに対応する位置に配置される第二端とを有する。また、内部スペーサ２Ａのベース２０Ａは、蓄電素子１の一方の第二壁１００ｄに対応する位置に配置される第三端と、該第三端とは反対側の第四端であって、蓄電素子１の他方の第二壁１００ｄに対応する位置に配置される第四端とを有する。
【００４１】
内部スペーサ２Ａのベース２０Ａは、該ベース２０Ａの第一端と第三端とが接続される部分である第一角部と、第一端と第四端とが接続される部分である第二角部とを有する。また、内部スペーサ２Ａのベース２０Ａは、第二端と第三端とが接続される部分である第三角部と、第二端と第四端とのそれぞれが接続される部分である第四角部とを有する。
【００４２】
なお、内部スペーサ２Ａのベース２０Ａの第一端及び第二端は、Ｙ軸方向に延びる。そして、内部スペーサ２Ａのベース２０Ａの第三端及び第四端は、Ｚ軸方向に延びる。そのため、内部スペーサ２Ａのベース２０Ａは、略矩形状に形成される。また、内部スペーサ２Ａのベース２０Ａは、蓄電素子１の第一壁１００ｃと略同等の大きさで形成される。
【００４３】
本実施形態に係る蓄電装置において、内部スペーサ２Ａのベース２０Ａの第一面と蓄電素子１との間及び内部スペーサ２Ａのベース２０Ａの第二面と蓄電素子１との間の少なくとも何れか一方には、流体（冷却用の流体）を通過させるための通風路が形成される。
【００４４】
より具体的に説明する。内部スペーサ２Ａのベース２０Ａは、矩形波形状に形成される。本実施形態に係る蓄電素子１において、内部スペーサ２Ａのベース２０Ａは、隣り合う二つの蓄電素子１のうちの一方の蓄電素子１のみに当接する第一当接部２００Ａと、隣り合う二つの蓄電素子１のうちの他方の蓄電素子１のみに当接する第二当接部２０１Ａとを有する。これに伴い、内部スペーサ２Ａのベース２０Ａは、第一当接部２００Ａと第二当接部２０１Ａとに繋がる連接部２０２Ａを有する。
【００４５】
第一当接部２００Ａは、Ｙ軸方向に長い。第二当接部２０１Ａは、Ｙ軸方向に長い。
【００４６】
内部スペーサ２Ａのベース２０Ａは、複数の第一当接部２００Ａと、複数の第二当接部２０１Ａとを有する。そして、各第一当接部２００Ａと各第二当接部２０１Ａとは、内部スペーサ２Ａのベース２０Ａの第一端と第二端とが並ぶ方向において交互に配置される。
【００４７】
これにより、図６に示すように、蓄電装置では、第一当接部２００Ａにおける蓄電素子１と当接する面とは反対側の面と、第一当接部２００Ａに繋がる一対の連接部２０２Ａとによって、通風路２０３Ａが形成される。また、蓄電装置では、第二当接部２０１Ａにおける蓄電素子１と当接する面とは反対側の面と、第二当接部２０１Ａに繋がる一対の連接部２０２Ａとによって、通風路２０３Ａが形成される。従って、蓄電装置では、内部スペーサ２Ａのベース２０Ａは、第一面と蓄電素子１との間、及び内部スペーサ２Ａのベース２０Ａの第二面と蓄電素子１との間のそれぞれに冷却風が流通可能な通風路２０３Ａを形成する。
【００４８】
上述のように、内部スペーサ２Ａは、隣り合う二つの蓄電素子１の間に配置される。そのため、内部スペーサ２Ａは、内部スペーサ２Ａに隣り合う二つの蓄電素子１の相対移動を規制すべく、内部スペーサ２Ａのベース２０Ａの第一面に隣り合う蓄電素子１に向かって延びる規制部２１Ａと、内部スペーサ２Ａのベース２０Ａの第二面に隣り合う蓄電素子１に向かって延びる規制部２１Ａとを備える。
【００４９】
より具体的に説明する。図５に示すように、規制部２１Ａは、内部スペーサ２Ａのベース２０Ａの各角部に形成される。
【００５０】
各規制部２１Ａは、ベース２０ＡのＺ軸方向に延びる外縁に接続された第一規制片２１０Ａであって、ベース２０からＸ軸方向に延出した第一規制片２１０Ａと、ベース２０ＡのＹ軸方向に延びる外縁に接続された第二規制片２１１Ａであって、ベース２０ＡからＸ軸方向に延出した第二規制片２１１Ａとを有する。
【００５１】
第一角部に形成される規制部２１Ａの第一規制片２１０Ａは、ベース２０Ａの第三端に接続される。第一角部に形成される規制部２１Ａの第二規制片２１１Ａは、ベース２０Ａの第一端に接続される。
【００５２】
第二角部に形成される規制部２１Ａの第一規制片２１０Ａは、ベース２０Ａの第四端に接続される。第二角部に形成される規制部２１Ａの第二規制片２１１Ａは、ベース２０Ａの第一端に接続される。
【００５３】
第三角部に形成される規制部２１Ａの第一規制片２１０Ａは、ベース２０Ａの第三端に接続される。第三角部に形成される規制部２１Ａの第二規制片２１１Ａは、ベース２０Ａの第二端に接続される。
【００５４】
第四角部に形成される規制部２１Ａの第一規制片２１０Ａは、ベース２０Ａの第四端に接続される。第四角部に形成される規制部２１Ａの第二規制片２１１Ａは、ベース２０Ａの第二端に接続される。
【００５５】
上述のように、内部スペーサ２Ａは、ベース２０Ａの第一面に隣り合う蓄電素子１に向かって延びる規制部２１Ａと、内部スペーサ２Ａのベース２０Ａの第二面に隣り合う蓄電素子１に向かって延びる規制部２１Ａとを備える。そのため、各内部スペーサ２Ａにおいて、一対の規制部２１Ａの第一規制片２１０Ａのそれぞれは、Ｘ軸方向における両隣のスペーサ２に対向する対向部を構成する。
【００５６】
対向部２１０Ａは、通風路２０３Ａに面する位置であって通風路２０３Ａでの冷却風の流通方向で蓄電素子１に隣接する位置に配置される。また、対向部２１０Ａは、Ｘ軸方向で一列に並ぶように配置されている。
【００５７】
図７に示すように、内部スペーサ２Ａにおいて、対向部２１０Ａは、Ｘ軸方向の一方側で蓄電素子１を介して隣り合う内部スペーサ２Ａの対向部２１０Ａと接する。
【００５８】
より具体的に説明する。一方の対向部２１０Ａは、該対向部２１０ＡからＸ軸方向の一方側に延出する延出部２１２Ａを有する。また、他方の対向部２１０Ａは、該対向部２１０Ａに形成される傾斜面２１６Ａであって、Ｘ軸方向の他方側で隣り合う対向部２１０Ａの延出部２１２Ａと接する傾斜面２１６Ａを有する。
【００５９】
延出部２１２Ａは、Ｘ軸方向の一方で隣り合う対向部２１０Ａの傾斜面２１６Ａに接する。また、延出部２１２Ａは、Ｘ軸方向の一方で隣り合う対向部２１０Ａの傾斜面２１６Ａの少なくとも一部と接する面を有する。
【００６０】
本実施形態に係る延出部２１２Ａは、Ｘ軸方向の一方で隣り合う対向部２１０Ａの傾斜面２１６ＡとＺ軸方向で向かい合う傾斜面２１３Ａを有する。また、延出部２１２Ａは、傾斜面２１３ＡからＸ軸方向に真直ぐに延びる延出面２１４Ａを有する。
【００６１】
傾斜面２１３Ａは、Ｘ軸方向及びＺ軸方向のそれぞれの方向に対して傾斜する面である。延出面２１４Ａは、Ｘ軸方向及びＹ軸方向に広がる面である。
【００６２】
そのため、対向部２１０Ａの延出部２１２Ａにおいて、Ｘ軸方向で隣り合う対向部２１０Ａの傾斜面２１６Ａの少なくとも一部と接する面は、Ｘ軸方向における途中位置で屈曲している。なお、本実施形態では、傾斜面２１３Ａと延出面２１４Ａとを含む面を当接面２１５Ａとして以下の説明を行う場合がある。
【００６３】
さらに、本実施形態に係る対向部２１０Ａでは、一対の延出部２１２ＡがＺ軸方向に間隔をあけて配置される。一対の延出部２１２Ａのそれぞれは、Ｚ軸方向において、互いの当接面２１５Ａを相反する方向に向けて配置されている。また、一対の延出部２１２Ａのそれぞれは、弾性を有する。
【００６４】
対向部２１０Ａの傾斜面２１６Ａは、Ｘ軸方向、及びＺ軸方向（一対の対向部２１０Ａが対向する方向及び冷却風の流通方向のそれぞれの方向に対して直交する方向）に対して傾斜する。すなわち、対向部２１０Ａの傾斜面２１６Ａは、Ｘ軸方向に及びＹ軸方向に広がる平面に対して傾斜するとともに、Ｙ軸方向に真っ直ぐに広がるように形成されている。
【００６５】
本実施形態に係る傾斜面２１６Ａは、他方の第一規制片２１０Ａに形成される凹部２１７Ａであって、Ｘ軸方向で隣り合う対向部２１０Ａに向けて開口する凹部２１７Ａの一部によって構成される。そのため、対向部２１０Ａは、Ｚ軸方向に間隔をあけて対向する一対の傾斜面２１６Ａを有する。
【００６６】
一対の傾斜面２１６Ａのそれぞれは、Ｘ軸方向において一対の延出部２１２Ａのそれぞれと並ぶ位置に配置される。
【００６７】
一対の傾斜面２１６Ａは、Ｘ軸方向において隣り合う対向部２１０Ａから離れるにしたがって互いの間隔が狭くなるように形成される。
【００６８】
また、対向部２１０Ａにおいて、各傾斜面２１６Ａにおける凹部２１７Ａの開口側の部分のそれぞれは、互いの間隔が一対の延出部２１２Ａの先端部同士の間隔（当接面２１５Ａ同士の間隔）よりも大きくなるように並ぶ。
【００６９】
さらに、対向部２１０Ａにおいて、一対の傾斜面２１６Ａのそれぞれのうちの凹部２１７Ａの底面側の部分のそれぞれは、互いの間隔が一対の延出部２１２Ａの先端側の端部同士の間隔（当接面２１５Ａ同士の間隔）よりも小さくなるように並ぶ。
【００７０】
次に、外部スペーサ２Ｂについて説明する。図５に示すように、外部スペーサ２Ｂは、蓄電素子１（ケース本体１００の第一壁１００ｃ）に対向する第一面及び該第一面とは反対側の第二面を有するベース（以下、ベースという）２０Ｂと、該ベース２０Ｂに隣り合う蓄電素子１の位置を決定する規制部（以下、規制部という）２１Ｂとを有する。
【００７１】
本実施形態に係る外部スペーサ２Ｂは、ベース２０Ｂと保持部材３の後述する終端部材３０とが対向する。すなわち、外部スペーサ２Ｂは、蓄電素子１と終端部材３０との間に配置される（図４参照）。
【００７２】
これに伴い、外部スペーサ２Ｂは、ベース２０Ｂの終端部材３０と対向する位置に、終端部材３０と嵌合する嵌合部２２Ｂを有する。すなわち、外部スペーサ２Ｂは、ベース２０Ｂに対する終端部材３０の位置を決定するための嵌合部２２Ｂであって、ベース２０Ｂの第二面に形成される嵌合部２２Ｂを有する。また、外部スペーサ２Ｂは、ベース２０Ｂに対する終端部材３０の位置を決定するための軸部２３Ｂであって、ベース２０Ｂの第二面から突出した軸部２３Ｂを有する。
【００７３】
外部スペーサ２Ｂのベース２０Ｂは、Ｙ軸方向及びＺ軸方向に広がっている。すなわち、ベース２０Ｂは、プレート状に形成される。外部スペーサ２Ｂのベース２０Ｂは、蓄電素子１の蓋板１０１に対応する位置に配置される第一端と、該第一端とは反対側の第二端であって、蓄電素子１の閉塞部１００ａに対応する位置に配置される第二端とを有する。また、外部スペーサ２Ｂのベース２０Ｂは、蓄電素子１の一方の第二壁１００ｄに対応する位置に配置される第三端と、該第三端とは反対側の第四端であって、蓄電素子１の他方の第二壁１００ｄに対応する位置に配置される第四端とを有する。
【００７４】
外部スペーサ２Ｂのベース２０Ｂは、第一端と第三端とが接続される部分である第一角部と、第一端と第四端とが接続される部分である第二角部とを有する。また、外部スペーサ２Ｂのベース２０Ｂは、第二端と第三端とが接続される部分である第三角部と、第二端と第四端とのそれぞれが接続される部分である第四角部とを有する。
【００７５】
なお、外部スペーサ２Ｂのベース２０Ｂの第一端及び第二端は、Ｙ軸方向に延びる。そして、外部スペーサ２Ｂのベース２０Ｂの第三端及び第四端は、前記Ｚ軸方向に直交する方向に延びる。そのため、外部スペーサ２Ｂのベース２０Ｂは、略矩形状である。また、外部スペーサ２Ｂのベース２０Ｂは、蓄電素子１の第一壁１００ｃと略同等の大きさである。
【００７６】
外部スペーサ２Ｂのベース２０Ｂの第一面には、該ベース２０Ｂの第一面と蓄電素子１との間に流体を通過させるための通風路が形成される。
【００７７】
より具体的に説明する。外部スペーサ２Ｂは、ベース２０Ｂの第一面から蓄電素子１に向けて突出する突出部２００Ｂであって、該蓄電素子１に当接する突出部（以下、内部接触部という）２００Ｂを有する。内部接触部２００Ｂは、当該ベース２０Ｂの第一面から蓄電素子１のケース１０（ケース本体１００の第一壁１００ｃ）に向かって延びる。
【００７８】
内部接触部２００Ｂは、Ｙ軸方向に長い。図６に示すように、本実施形態に係る外部スペーサ２Ｂのベース２０Ｂは、複数の内部接触部２００Ｂを有する。そして、複数の内部接触部２００Ｂのそれぞれは、長手方向と直交する方向において互いに間隔をあけて配置される。これに伴い、外部スペーサ２Ｂのベース２０Ｂは、Ｚ軸方向で隣り合う突出部２００Ｂのそれぞれに繋がる連接部２０１Ｂを有する。これにより、外部スペーサ２Ｂのベース２０Ｂと蓄電素子１との間には、冷却風が流通可能な複数の通風路２０２Ｂが形成される。
【００７９】
上述のように、外部スペーサ２Ｂの第一面は、蓄電素子１と隣り合う。そのため、外部スペーサ２Ｂは、第一面に隣り合う蓄電素子１の相対移動を規制すべく、外部スペーサ２Ｂのベース２０Ｂの第一面と隣り合う蓄電素子１に向かって延びる規制部２１Ｂを備える。
【００８０】
より具体的に説明する。図５に示すように、規制部２１Ｂは、外部スペーサ２Ｂのベース２０Ｂの各角部に形成される。
【００８１】
各規制部２１Ｂは、ベース２０ＢのＺ軸方向に延びる外縁に接続された第一規制片２１０Ｂであって、ベース２０からＸ軸方向に延出した第一規制片２１０Ｂと、ベース２０ＢのＹ軸方向に接続された第二規制片２１１Ｂであって、ベース２０ＢからＸ軸方向に延出した第二規制片２１１Ｂとを有する。
【００８２】
第一角部に形成される規制部２１Ｂの第一規制片２１０Ｂは、ベース２０Ｂの第三端に接続される。第一角部に形成される規制部２１Ｂの第二規制片２１１Ｂは、ベース２０Ｂの第一端に接続される。
【００８３】
第二角部に形成される規制部２１Ｂの第一規制片２１０Ｂは、ベース２０Ｂの第四端に接続される。第二角部に形成される規制部２１Ｂの第二規制片２１１Ｂは、ベース２０Ｂの第一端に接続される。
【００８４】
第三角部に形成される規制部２１Ｂの第一規制片２１０Ｂは、ベース２０Ｂの第三端に接続される。第三角部に形成される規制部２１Ｂの第二規制片２１１Ｂは、ベース２０Ｂの第二端に接続される。
【００８５】
第四角部に形成される規制部２１Ｂの第一規制片２１０Ｂは、ベース２０Ｂの第四端に接続される。第四角部に形成される規制部２１Ｂの第二規制片２１１Ｂは、ベース２０Ｂの第二端に接続される。
【００８６】
上述のように、外部スペーサ２Ｂは、ベース２０Ｂの第一面と隣り合う蓄電素子１に向かって延びる規制部２１Ｂを備える。そのため、外部スペーサ２Ｂにおいて、規制部２１Ｂの第一規制片２１０Ｂのそれぞれは、Ｘ軸方向において隣り合う内部スペーサ２Ａに対向する対向部２１０Ａを構成する。
【００８７】
外部スペーサ２Ｂの対向部２１０Ｂは、通風路２０２Ｂに面する位置であって通風路２０２Ｂでの冷却風の流通方向において蓄電素子１に隣接する位置に配置される。また、外部スペーサ２Ｂの対向部２１０Ｂは、各内部スペーサ２Ａの対向部２１０ＡとＸ軸方向において一列に並ぶように配置されている。
【００８８】
図６に示すように、外部スペーサ２Ｂにおいて、外部スペーサ２Ｂの対向部２１０Ｂは、Ｘ軸方向において蓄電素子１を介して隣り合う内部スペーサ２Ａの対向部２１０Ａと接するようになっている。
【００８９】
上述のように、本実施形態に係る外部スペーサ２Ｂは、蓄電素子１を介して該内部スペーサ２Ａと隣り合うように配置される。すなわち、蓄電装置は、一対の外部スペーサ２Ｂを備える。
【００９０】
そのため、一方の外部スペーサ２Ｂの対向部２１０Ｂは、図８に示すように、第一規制片２１０ＢからＸ軸方向の一方側に延出する延出部２１２Ｂを有する。
【００９１】
延出部２１２Ｂは、Ｘ軸方向において隣り合う内部スペーサ２Ａの対向部２１０Ａの傾斜面２１６Ａに接する。そのため、延出部２１２Ｂは、Ｘ軸方向で隣り合う内部スペーサ２Ａの対向部２１０Ａの傾斜面２１６Ａの少なくとも一部と接する面を有する。
【００９２】
本実施形態に係る延出部２１２Ｂは、Ｘ軸方向において隣り合う内部スペーサ２Ａの対向部２１０Ａの傾斜面２１６ＡとＺ軸方向において向かい合う傾斜面２１３Ｂを有する。また、延出部２１２Ｂは、傾斜面２１３ＢからＸ軸方向に真直ぐに延びる延出面２１４Ｂを有する。
【００９３】
傾斜面２１３Ｂは、Ｘ軸方向及びＺ軸方向のそれぞれの方向に対して傾斜する面である。延出面２１４Ｂは、Ｘ軸方向及びＹ軸方向に広がる面である。
【００９４】
そのため、対向部２１０Ｂの延出部２１２Ｂにおいて、Ｘ軸方向において隣り合う内部スペーサ２Ａの対向部２１０Ａの傾斜面２１６Ａの少なくとも一部と接する面は、Ｘ軸方向の途中位置において屈曲している。なお、本実施形態では、傾斜面２１３Ｂと延出面２１４Ｂとを含む面を当接面２１５Ｂとして以下の説明を行う場合がある。
【００９５】
さらに、本実施形態において、外部スペーサ２Ｂの対向部２１０Ｂでは、一対の延出部２１２ＢがＺ軸方向に間隔をあけて配置される。一対の延出部２１２Ｂのそれぞれは、Ｚ軸方向において、互いの当接面２１５Ｂを相反する方向に向けて配置されている。また、一対の延出部２１２Ｂのそれぞれは、弾性を有する。
【００９６】
図９に示すように、他方の外部スペーサ２Ｂの対向部２１０Ｂは、Ｘ軸方向の他方側において隣り合う内部スペーサ２Ａの対向部２１０Ａの延出部２１２Ａと接する傾斜面２１６Ｂであって、Ｘ軸方向、及びＺ軸方向（外部スペーサ２Ｂの対向部２１０Ｂと内部スペーサ２Ａの対向部２１０Ａとが対向する方向及び冷却風の流通方向のそれぞれの方向に対して直交する方向）に対して傾斜する傾斜面２１６Ｂを有する。
【００９７】
他方の外部スペーサ２Ｂの対向部２１０Ｂの傾斜面２１６Ｂは、上述のように、Ｘ軸方向とＺ軸方向とのそれぞれの方向に対して傾斜する。すなわち、外部スペーサ２Ｂの対向部２１０Ｂの傾斜面２１６Ｂは、Ｘ軸方向に及びＹ軸方向に広がる平面に対して傾斜するとともに、Ｙ軸方向に真っ直ぐに広がるように形成されている。
【００９８】
本実施形態に係る傾斜面２１６Ｂは、第一規制片２１０Ｂに形成される凹部２１７Ｂであって、Ｘ軸方向で隣り合う内部スペーサ２Ａの対向部２１０Ａに向けて開口する凹部２１７Ｂの一部によって構成される。そのため、外部スペーサ２Ｂの対向部２１０Ｂは、Ｚ軸方向に間隔をあけて対向する一対の傾斜面２１６Ｂを有する。
【００９９】
一対の傾斜面２１６Ｂのそれぞれは、Ｘ軸方向において内部スペーサ２Ａの一対の延出部２１２Ａのそれぞれと並ぶ位置に配置される。
【０１００】
一対の傾斜面２１６Ｂは、Ｘ軸方向において隣り合う内部スペーサ２Ａの対向部２１０Ａから離れるにしたがって互いの間隔が狭くなるように形成される。
【０１０１】
また、外部スペーサ２Ｂの対向部２１０Ｂにおいて、各傾斜面２１６Ｂにおける凹部２１７Ｂの開口側の部分のそれぞれは、互いの間隔が内部スペーサ２Ａの一対の延出部２１２Ａの先端部同士の間隔（当接面２１５Ａ同士の間隔）よりも大きくなるように並ぶ。
【０１０２】
さらに、外部スペーサ２Ｂの対向部２１０Ｂにおいて、一対の傾斜面２１６Ｂのそれぞれのうちの凹部２１７Ｂの底面側の部分のそれぞれは、互いの間隔が内部スペーサ２Ａの一対の延出部２１２Ａの先端側の端部同士の間隔（当接面２１５Ａ同士の間隔）よりも小さくなるように形成される。
【０１０３】
本実施形態において、保持部材３は、金属製である。保持部材３は、図４に示すように、各外部スペーサ２Ｂと隣り合う位置のそれぞれに配置される一対の終端部材３０と、該一対の終端部材３０のそれぞれを接続するフレーム３１とを備える。
【０１０４】
一対の終端部材３０のそれぞれは、外部スペーサ２Ｂと対向する第一面と、該第一面とは反対側の第二面とを有する。一対の終端部材３０のそれぞれは、外部スペーサ２Ｂのベース２０Ｂに当接する圧接部３００を有する。
【０１０５】
終端部材３０は、蓄電素子１の蓋板１０１と対応する位置に配置される第一端と、該第一端とは反対側の第二端（蓄電素子１の閉塞部１００ａと対応する位置に配置される第二端）とを有する。また、終端部材３０は、蓄電素子１の一方の第二壁１００ｄと対応する位置に配置される第三端と、該第三端とは反対側の第四端（蓄電素子１の他方の第二壁１００ｄと対応する位置に配置される第四端）とを有する。
【０１０６】
これに伴い、終端部材３０は、第一端と第三端とが接続される部分である第一角部と、第一端と第四端とが接続される部分である第二角部とを有する。また、終端部材３０は、第二端と第三端とが接続される部分である第三角部と、第二端と第四端とのそれぞれが接続される部分である第四角部とを有する。
【０１０７】
そして、圧接部３００は、外部スペーサ２Ｂの軸部２３Ｂに対応する位置に形成される挿込穴３００ａを有する。また、圧接部３００は、各角部のそれぞれに形成される複数（本実施形態では、四つ）の貫通穴３００ｂを有する。
【０１０８】
フレーム３１は、一対の終端部材３０間に亘って延びる第一接続部３１０であって、蓄電素子１の蓋板１０１と対応する位置に配置される第一接続部３１０と、一対の終端部材３０間に亘って延びる第二接続部３１１であって、蓄電素子１の閉塞部１００ａと対応する位置に配置される第二接続部３１１とを有する。
【０１０９】
また、フレーム３１は、第一接続部３１０と第二接続部３１１とに繋がる支持部３１２を有する。
【０１１０】
本実施形態に係るフレーム３１は、第一接続部３１０と第二接続部３１１とに支持部３１２が繋がることによって枠体状に形成される。これに伴い、本実施形態における蓄電装置では、Ｘ軸方向と直交する方向（以下、Ｙ軸方向とする）における蓄電素子の一方側に配置される第一接続部３１０、第二接続部３１１、支持部３１２を有する部材を第一フレーム３１Ａとし、Ｙ軸方向における蓄電素子の他方側に配置される第一接続部３１０、第二接続部３１１、支持部３１２を有する部材を第二フレーム３１Ｂとして以下の説明を行う場合がある。
【０１１１】
そして、フレーム３１は、終端部材３０と連結される固定部３１３を有する。
【０１１２】
第一接続部３１０は、長手方向に第一端と該第一端とは反対側の第二端とを有する。
【０１１３】
また、第一接続部３１０は、長手方向と直交する方向に沿って屈曲している。第一接続部３１０において、屈曲部分を境とする一方の部分は、蓄電素子１の蓋板１０１と対応する位置に配置される。第一接続部３１０において、屈曲部分を境とする他方の部分は、蓄電素子１の第二壁１００ｄと対応する位置に配置される。
【０１１４】
第二接続部３１１は、長手方向に第一端と該第一端とは反対側の第二端とを有する。
【０１１５】
第二接続部３１１は、長手方向と直交する方向に沿って屈曲している。そして、第二接続部３１１は、屈曲部分を境とする一方の部分が蓄電素子１の蓋板１０１と対応する位置に配置され、屈曲部分を境とする他方の部分が蓄電素子１の第二壁１００ｄと対応する位置に配置される。
【０１１６】
支持部３１２は、第一接続部３１０の第一端と第二接続部３１１の第一端とに繋がる第一支持部３１２ａと、第一接続部３１０の第二端と第二接続部３１１の第二端とに繋がる第二支持部３１２ｂとを有する。
【０１１７】
固定部３１３は、第一接続部３１０の第一端と第二端とに形成される一対の第一固定部３１３ａと、第二接続部３１１の第一端と第二端とに形成される一対の第二固定部３１３ｂとを有する。
【０１１８】
一方の第一固定部３１３ａは、一方の終端部材３０の貫通穴３００ｂ周りの部分と対向する。他方の第一固定部３１３ａは、他方の終端部材３０の貫通穴３００ｂ周りの部分と対向する。そして、一対の第一固定部３１３ａのそれぞれは、貫通穴３００ｂと対応する位置に第一穴部３１３ｃが形成されている。
【０１１９】
そのため、第一接続部３１０は、終端部材３０の貫通穴３００ｂと、第一固定部３１３ａの第一穴部３１３ｃとに挿通したボルトにナットを螺号させることによって該終端部材３０に連結される。
【０１２０】
一方の第二固定部３１３ｂは、一方の終端部材３０の貫通穴３００ｂ周りの部分と対向する。他方の第二固定部３１３ｂは、他方の終端部材３０の貫通穴３００ｂ周りの部分と対向する。そして、一対の第二固定部３１３ｂのそれぞれは、貫通穴３００ｂと対応する位置に第二穴部３１３ｄが形成されている。
【０１２１】
そのため、第二接続部３１１は、終端部材３０の貫通穴３００ｂと、第二固定部３１３ｂの第二穴部３１３ｄとに挿通したボルトにナットを螺号させることによって該終端部材３０に連結される。
【０１２２】
インシュレータ４は、絶縁性を有する材料で構成されている。そして、インシュレータ４は、一対の第一接続部３１０のそれぞれと、スペーサ２（内部スペーサ２Ａ及び外部スペーサ２Ｂ）との間に配置される一対の第一絶縁部４０と、一対の第二接続部３１１のそれぞれとスペーサ２（内部スペーサ２Ａ及び外部スペーサ２Ｂ）との間に配置される一対の第二絶縁部４１とを有する。
【０１２３】
第一絶縁部４０は、Ｘ軸方向に長い。また、第一絶縁部４０は、蓄電素子１とフレーム３の第一接続部３１０との間に配置されている。すなわち、第一絶縁部４０は、長手方向と直交する方向に屈曲する。そして、第一絶縁部４０における、屈曲部分を境とする一方の部分は、第一接続部３１０の屈曲部分を境とする一方の部分と当接する。また、第一絶縁部４０における、屈曲部分を境とする他方の部分は、第一接続部３１０の屈曲部分を境とする他方の部分と当接する。
【０１２４】
第二絶縁部４１は、Ｘ軸方向に長い。また、第二絶縁部４１は、蓄電素子１とフレーム３の第二接続部３１１との間に配置されている。すなわち、第二絶縁部４１は、長手方向と直交する方向に沿って屈曲する。そして、第二絶縁部４１における、屈曲部分を境とする一方の部分は、第二接続部３１１の屈曲部分を境とする一方の部分と当接する。第二絶縁部４１における、屈曲部分を境とする他方の部分は、第二接続部３１１の屈曲部分を境とする他方の部分と当接する。
【０１２５】
本実施形態に係るインシュレータ４は、二つの第三絶縁部４２を有する。より具体的に説明する。インシュレータ４では、第一絶縁部４０の第一端と第二絶縁部４１の第一端、及び第一絶縁部４０の第二端と第二絶縁部４１の第二端が第三絶縁部４２によって繋がれている。
【０１２６】
以上のように、本実施形態に係る蓄電装置によれば、内部スペーサ２Ａにおける対向部２１０Ａの延出部２１２Ａは、Ｘ軸方向において隣り合う内部スペーサ２Ａの対向部２１０Ａ又はＸ軸方向において隣り合う外部スペーサ２Ｂの対向部２１０Ｂまで延びる。そのため、内部スペーサ２Ａの延出部２１２Ａは、Ｘ軸方向において隣り合う内部スペーサ２Ａの対向部２１０Ａ又はＸ軸方向において隣り合う外部スペーサ２Ｂの対向部２１０Ｂに接する。
【０１２７】
また、外部スペーサ２Ｂにおける対向部２１０Ｂの延出部２１２Ｂは、Ｘ軸方向において隣り合う内部スペーサ２Ａの対向部２１０Ａまで延びる。そのため、外部スペーサ２Ｂの対向部２１０Ｂの延出部２１２Ｂは、Ｘ軸方向において隣り合う内部スペーサ２Ａの対向部２１０Ａに接する。
【０１２８】
これにより、蓄電装置は、Ｘ軸方向において隣り合う内部スペーサ２Ａの対向部２１０Ａの間、Ｘ軸方向において隣り合う内部スペーサ２Ａの対向部２１０Ａと外部スペーサ２Ｂの対向部２１０Ｂとの間を流れようとする冷却風が内部スペーサ２Ａにおける対向部２１０Ａの延出部２１２Ａと、外部スペーサ２Ｂの対向部２１０Ｂの延出部２１２Ｂとによって遮られる。
【０１２９】
従って、蓄電装置では、各スペーサ２の対向部２１０Ａの通風路２０３Ａ，２０２Ｂ側の端縁から各スペーサ２の対向部２１０Ａの通風路２０３Ａ，２０２Ｂ側と反対側の端縁に向かう空気の流れが妨げられる。これにより、蓄電装置では、蓄電素子１間に形成された通風路２０３Ａ，２０２Ｂに供給される冷却風を外部に漏れ難くすることができる。
【０１３０】
また、本実施形態に係る蓄電装置では、内部スペーサ２Ａの延出部２１２Ａと内部スペーサ２Ａの傾斜面２１６Ａとが接する部分、及び内部スペーサ２Ａの延出部２１２Ａと外部スペーサ２Ｂの傾斜面２１６Ｂとが接する部分のそれぞれが、Ｚ軸方向に対して傾斜する。
【０１３１】
そのため、蓄電装置は、各スペーサ２の対向部２１０Ａの通風路２０３Ａ，２０２Ｂ側の端縁から各スペーサ２の対向部２１０Ａの通風路２０３Ａ，２０２Ｂと反対側の端縁に向かう空気の流れをより効果的に妨げることができる。
【０１３２】
そして、内部スペーサ２の対向部２１０Ａの延出部２１２Ａと、外部スペーサ２Ｂの対向部２１０Ｂの延出部２１２Ｂとは、弾性を有する。そのため、蓄電装置は、製造誤差等によって内部スペーサ２Ａの対向部２１０Ａ同士の間隔や、内部スペーサ２Ａの対向部２１０Ａと外部スペーサ２Ｂの対向部２１０Ｂとの間隔が狭くなっていても、内部スペーサ２Ａの対向部２１０Ａの延出部２１２Ａの弾性変形や、外部スペーサ２Ｂの対向部２１０Ｂの延出部２１２Ｂが弾性変形することで、この間隔の変動が吸収される。
【０１３３】
このように、蓄電装置は、製造誤差等によって内部スペーサ２Ａの対向部２１０Ａ同士の間隔や、内部スペーサ２Ａの対向部２１０Ａと外部スペーサ２Ｂの対向部２１０Ｂとの間隔が狭くなっていても、内部スペーサ２Ａの延出部２１２Ａが内部スペーサ２Ａの対向部２１０Ａ又は外部スペーサ２Ｂの対向部２１０Ｂに接する状態、外部スペーサ２Ｂの延出部２１２Ｂが内部スペーサ２Ａの対向部２１０Ａに接する状態を維持することができる。
【０１３４】
さらに、各内部スペーサ２Ａの対向部２１０Ａにおいて、一対の傾斜面２１６Ａは、凹部２１７Ａの底面側になるにつれて互いの間隔が狭くなるように形成されている。そのため、内部スペーサ２Ａの対向部２１０Ａと、Ｘ軸方向の他方で隣り合う別の内部スペーサ２Ａの対向部２１０Ａとの間隔又は外部スペーサ２Ｂの対向部２１０Ｂとの間隔とが狭くなるほど、内部スペーサ２Ａの一対の延出部２１２Ａ又は外部スペーサ２Ｂの一対の延出部２１２Ｂは、互いの先端同士の間隔が狭くなるように弾性変形する。
【０１３５】
また、他方の外部スペーサ２Ｂの対向部２１０Ｂにおいて、一対の傾斜面２１６Ｂは、凹部２１７Ｂの底面側になるにつれて互いの間隔が狭くなるように形成されている。そのため、他方の外部スペーサ２Ｂの対向部２１０Ｂと、Ｘ軸方向の他方で隣り合う別の内部スペーサ２Ａの対向部２１０Ａとの間隔が狭くなるほど、内部スペーサ２Ａの一対の延出部２１２Ａは、互いの先端同士の間隔が狭くなるように弾性変形する。
【０１３６】
従って、蓄電装置は、内部スペーサ２Ａの対向部２１０Ａ及び外部スペーサ２Ｂの対向部２１０Ｂの間隔が狭くなるにつれて、該間隔を元に戻そうとする内部スペーサ２Ａの延出部２１２Ａ、外部スペーサ２Ｂの延出部２１２Ｂの力が強くなる。そのため、蓄電装置は、Ｘ軸方向で隣り合うスペーサ２同士が弾性体によって連結されているのと同視できる状態となり、振動に対する耐性が向上する。
【０１３７】
そして、内部スペーサ２Ａの対向部２１０Ａは、複数（本実施形態では、二つ）の延出部２１２Ａを備える。
【０１３８】
そのため、蓄電装置は、内部スペーサ２Ａの二つの延出部２１２Ａによって、一対の対向部２１０Ａ間を対向部２１０Ａの通風路２０３Ａ側の端縁から通風路２０３Ａと反対側の端縁に向かう空気の流れが妨げられる。これにより、一対の対向部２１０Ａ間を通じて冷却風が蓄電装置の外部へ漏れることをより効果的に抑えることができる。
【０１３９】
また、外部スペーサ２Ｂの対向部２１０Ｂは、複数（本実施形態では、二つ）の延出部２１２Ｂを備える。
【０１４０】
そのため、蓄電装置は、外部スペーサ２Ｂの複数の延出部２１２Ｂによって、外部スペーサ２Ｂの対向部２１０Ｂと内部スペーサ２Ａの対向部２１０Ａの間を対向部２１０Ｂの通風路２０２Ｂ側の端縁から通風路２０２Ｂと反対側の端縁に向かう空気の流れが妨げられる。これにより、外部スペーサ２Ｂの対向部２１０Ｂと内部スペーサ２Ａの対向部２１０Ａの間を通じて冷却風が蓄電装置の外部へ漏れることをより効果的に抑えることができる。
【０１４１】
なお、本発明に係る蓄電装置は、上記一実施形態に限定されるものではなく、本発明の要旨を逸脱しない範囲において種々変更を行うことは勿論である。
【０１４２】
上記実施形態において、内部スペーサ２Ａのベース２０Ａは、略矩形状であり、また、蓄電素子１の第一壁１００ｃと略同等の大きさになっている。しかしながら、内部スペーサ２Ａのベース２０Ａは、隣り合う二つの蓄電素子１のそれぞれの姿勢を対応させることができれば、略矩形状であるものに限定されず、また、蓄電素子１の第一壁１００ｃと略同等の大きさであるものにも限定されない。
【０１４３】
上記実施形態において、内部スペーサ２Ａのベース２０Ａは、矩形波形状にすることによって、該ベース２０Ａと蓄電素子１との間に通風路２０３Ａを形成している。しかしながら、内部スペーサ２Ａのベース２０Ａは、第一面と蓄電素子１との間（第二面と蓄電素子１との間）に流体を通過させることができれば、ベース２０Ａの形状が矩形波形状であるものに限定されない。また、内部スペーサ２Ａのベース２０Ａと蓄電素子１との間に通風路２０３Ａを形成する必要がない場合、内部スペーサ２Ａのベース２０Ａは、平板状に形成されていてもよい。
【０１４４】
上記実施形態において、内部スペーサ２Ａの各規制部２１Ａは、ベース２０Ａの角部のそれぞれに形成されている。しかしながら、内部スペーサ２Ａの規制部２１Ａは、ベース２０Ａに対する蓄電素子１の位置を決定することができれば、ベース２０Ａに形成される位置が限定されるものではない。
【０１４５】
上記実施形態において、外部スペーサ２Ｂのベース２０Ｂは、略矩形状であり、且つ蓄電素子１の第一壁１００ｃと略同等の大きさである。しかしながら、ベース２０Ｂは、隣り合う蓄電素子１の姿勢と終端部材３０の姿勢とを対応させることができれば、ベース２０Ｂは、略矩形状に形成されているものに限定されず、また、蓄電素子１の第一壁１００ｃと略同等の大きさで形成されているものにも限定されない。
【０１４６】
上記実施形態において、外部スペーサ２Ｂは、ベース２０Ｂの角部のそれぞれに規制部２１Ｂが形成されている。しかしながら、規制部２１Ｂは、ベース２０Ｂに対して蓄電素子１を配置する位置を決定することができれば、ベース２０Ｂに形成される位置が限定されるものではない。
【０１４７】
上記実施形態において、内部スペーサ２Ａの対向部２１０Ａは、一対の延出部２１２Ａを備えていたが、これに限定されるものではない。例えば、内部スペーサ２Ａの対向部２１０Ａは、一つの延出部２１２Ａ又は三つ以上の延出部２１２Ａを備えてもよい。さらに、内部スペーサ２Ａの対向部２１０Ａは、複数対の延出部２１２Ａを備えてもよい。
【０１４８】
また、外部スペーサ２Ｂの対向部２１０Ｂは、一対の延出部２１２Ｂを備えていたが、これに限定されるものではない。例えば、外部スペーサ２Ｂの対向部２１０Ｂは、一つの延出部２１２Ｂ又は三つ以上の延出部２１２Ｂを備えてもよい。さらに、外部スペーサ２Ｂの対向部２１０Ｂは、複数対の延出部２１２Ｂを備えてもよい。
【０１４９】
上記実施形態において、内部スペーサ２Ａの傾斜面２１６Ａは、Ｘ軸方向及びＺ軸方向のそれぞれの方向に対して傾斜していたが、これに限定されるものではない。内部スペーサ２Ａの傾斜面２１６Ａは、内部スペーサ２Ａの延出部２１２Ａ又は外部スペーサ２Ｂの延出部２１２Ｂが接することができれば、傾斜する方向を特に限定されない。
【０１５０】
また、上記実施形態において、外部スペーサ２Ｂの傾斜面２１６Ｂは、Ｘ軸方向及びＺ軸方向のそれぞれの方向に対して傾斜していたが、これに限定されるものではない。外部スペーサ２Ｂの傾斜面２１６Ｂは、内部スペーサ２Ａの延出部２１２Ａが接することができれば、傾斜する方向を特に限定されない。
【０１５１】
上記実施形態において、内部スペーサ２Ａの延出部２１２Ａは、内部スペーサ２Ａの傾斜面２１６Ａと当接するように構成されていたが、これに限定されるものではない。例えば、内部スペーサ２Ａの延出部２１２Ａは、先端部が内部スペーサ２Ａの対向部２１０Ａ（凹部２１７Ａの底面）に対してＸ軸方向において突き当たるように構成されてもよい。
【０１５２】
このようにしても、内部スペーサ２Ａの延出部２１２Ａが対向部２１０Ａに当接するため、Ｘ軸方向において隣り合う内部スペーサ２Ａの対向部２１０Ａの間から冷却風が漏れ難くすることができる。
【０１５３】
また、外部スペーサ２Ｂの延出部２１２Ｂも、内部スペーサ２Ａの傾斜面２１６Ａと当接するように構成されていたが、これに限定されるものではない。例えば、外部スペーサ２Ｂの延出部２１２Ｂは、先端部が内部スペーサ２Ａの対向部２１０Ａ（凹部２１７Ａの底面）に対してＸ軸方向で突き当たるように構成されてもよい。
【０１５４】
このようにしても、外部スペーサ２Ｂの延出部２１２Ｂが内部スペーサ２Ａの対向部２１０Ａに当接するため、外部スペーサ２Ｂの対向部２１０Ｂと内部スペーサ２Ａの対向部２１０Ａの間から冷却風が漏れ難くなる。
【０１５５】
上記実施形態において、内部スペーサ２Ａの傾斜面２１６Ａは、Ｘ軸方向及びＺ軸方向のそれぞれの方向に対して傾斜していたが、これに限定されるものではない。例えば、内部スペーサ２Ａの傾斜面２１６Ａは、内部スペーサ２Ａの延出部２１２Ａ又は外部スペーサ２Ｂの延出部２１２Ｂの接する部分がＸ軸方向及びＹ軸方向に広がる平面によって構成されてもよい。
【０１５６】
すなわち、内部スペーサ２Ａの傾斜面２１６Ａは、内部スペーサ２Ａの延出部２１２Ａ又は外部スペーサ２Ｂの延出部２１２Ｂが接することができれば、Ｚ軸方向に対して直交してもよい。
【０１５７】
さらに、上記実施形態において、外部スペーサ２Ｂの傾斜面２１６Ｂは、Ｘ軸方向及びＺ軸方向に対して傾斜していたが、これに限定されるものではない。例えば、外部スペーサ２Ｂの傾斜面２１６Ｂにおいて、内部スペーサ２Ａの延出部２１２Ａの接する部分がＸ軸方向及びＹ軸方向に広がる平面によって構成されてもよい。
【０１５８】
すなわち、内部スペーサ２Ａの傾斜面２１６Ａは、内部スペーサ２Ａの延出部２１２Ａが接することができれば、Ｘ軸方向及びＺ軸方向に対して傾斜していなくてもよい。
【０１５９】
上記実施形態において、内部スペーサ２Ａの延出部２１２Ａは、弾性を有していたが、これに限定されるものではない。例えば、内部スペーサ２Ａの延出部２１２Ａは、弾性を有していなくてもよい。
【０１６０】
上記実施形態において、内部スペーサ２Ａの延出部２１２Ａは、当接面２１５ＡがＸ軸方向における途中位置で屈曲していたが、これに限定されるものではない。例えば、内部スペーサ２Ａの延出部２１２Ａは、全体に亘ってＸ軸方向及びＺ軸方向のそれぞれの方向に対して傾斜していてもよい。すなわち、内部スペーサ２Ａの延出部２１２Ａの当接面２１５Ａは、傾斜面２１６Ａのみで構成されてもよい。
【０１６１】
上記実施形態において、外部スペーサ２Ｂの延出部２１２Ｂにおいて、当接面２１５ＢがＸ軸方向における途中位置で屈曲していたが、これに限定されるものではない。例えば、外部スペーサ２Ｂの延出部２１２Ｂは、全体に亘ってＸ軸方向及びＺ軸方向のそれぞれの方向に対して傾斜していてもよい。すなわち、外部スペーサ２Ｂの延出部２１２Ｂの当接面２１５Ｂが、傾斜面２１６Ｂのみで構成されていてもよい。
【０１６２】
上記実施形態において、特に言及しなかったが、内部スペーサ２Ａの対向部２１０Ａは、延出部２１２Ａの傾斜面２１３Ａと接するように構成されていてもよい。また、内部スペーサ２Ａの対向部２１０Ａは、延出部２１２Ａの傾斜面２１３Ａと、Ｘ軸方向において隣り合う内部スペーサ２Ａの傾斜面２１６Ａ（又はＸ軸方向で隣り合う外部スペーサ２Ｂの傾斜面２１６Ｂ）とが互いに接するように構成されていることが好ましい。
【０１６３】
また、外部スペーサ２Ｂの対向部２１０Ｂも、延出部２１２Ｂの傾斜面２１３Ｂと、接するように構成されていてもよい。また、外部スペーサ２Ｂの対向部２１０Ｂは、延出部２１２Ｂの傾斜面２１３Ｂと、Ｘ軸方向で隣り合う内部スペーサ２Ａの傾斜面２１６Ａとが互いに接するように、構成されていることが好ましい。
【０１６４】
このようにすれば、外部スペーサ２Ｂの延出部２１２Ｂの傾斜面２１３Ｂと内部スペーサ２Ａの対向部２１０Ａとの接触部位がＺ軸方向と交差する方向に延びるように、延出部２１２Ｂと傾斜面２１６Ａとが接する。これにより、該対向部２１２Ｂ、２１０Ａ間を対向部２１０Ａの通風路２０３Ａ側の端縁から通風路２０３Ａと反対側の端縁に向かう空気の流れがより効果的に妨げられる。
【０１６５】
また、延出部２１２Ａの傾斜面２１３Ａと、Ｘ軸方向で隣り合う内部スペーサ２Ａの傾斜面２１６Ａ（又はＸ軸方向において隣り合う外部スペーサ２Ｂの傾斜面２１６Ｂ）とを互いに当接させ、外部スペーサ２Ｂの対向部２１０Ｂは、延出部２１２Ｂの傾斜面２１６Ｂと、Ｘ軸方向において隣り合う内部スペーサ２Ａの傾斜面２１６Ａとを互いに当接させるようにする場合、傾斜面２１３Ａ，２１６Ｂと傾斜面２１６Ａとの接触部位が第二方向と交差する方向に延びるように延出部（第一の傾斜面）と前記他方の対向部２１０Ａ（第二の傾斜面）とが接する。これにより、該対向部２１０Ａ間を対向部２１０Ａの通風路２０３Ａ側の端縁から通風路２０３Ａと反対側の端縁に向かう空気の流れがより効果的に妨げられる。
【０１６６】
この場合、図１０に示すように、内部スペーサ２Ａの延出部２１２Ａは、傾斜面２１３Ａと、Ｘ軸方向において隣り合う内部スペーサ２Ａの傾斜面２１６Ａ（又はＸ軸方向で隣り合う外部スペーサ２Ｂの傾斜面２１６Ｂ）とのなす角度αが、０°＜αとなるように構成されることが好ましい。
【０１６７】
また、外部スペーサ２Ｂの延出部２１２Ｂは、傾斜面２１３Ｂと、Ｘ軸方向において隣り合う内部スペーサ２Ａの傾斜面２１６Ａとのなす角度αが、０°＜αとなるように構成されることが好ましい。
【０１６８】
傾斜面２１２Ａ，２１３Ｂと傾斜面２１６Ａとが平行である場合、スペーサを製造する際の製造誤差によって傾斜面２１２Ａ，２１３Ｂと傾斜面２１６Ａとの間に隙間が生じる場合がある。しかし、上記構成のように、角度αが０°より大きい、即ち、第一の傾斜面２１２Ａ，２１３Ｂと傾斜面２１６Ａとが平行で無ければ、前記製造誤差に起因する隙間の発生を防ぐことができる。
【０１６９】
さらに、内部スペーサ２Ａの延出部２１２Ａは、傾斜面２１３Ａと、Ｘ軸方向において隣り合う内部スペーサ２Ａの傾斜面２１６Ａ（又はＸ軸方向で隣り合う外部スペーサ２Ｂの傾斜面２１６Ｂ）とのなす角度αが、０°＜α≦１５°となるように構成されることがさらに好ましい。
【０１７０】
また、外部スペーサ２Ｂの延出部２１２Ｂは、傾斜面２１３Ｂと、Ｘ軸方向において隣り合う内部スペーサ２Ａの傾斜面２１６Ａとのなす角度αが、０°＜α≦１５°となるように構成されることがさらに好ましい。
【０１７１】
上記実施形態において、特に言及しなかったが、内部スペーサ２Ａの延出部２１２Ａは、内部スペーサ２Ａの傾斜面２１６Ａ又は外部スペーサ２Ｂの傾斜面２１６ＢのＹ軸方向における一端から該一端とは反対側の他端に亘って接することが好ましい。
【０１７２】
また、外部スペーサ２Ｂの延出部２１２Ｂは、内部スペーサ２Ａの傾斜面２１６ＡのＹ軸方向における一端から該一端とは反対側の他端に亘って接することが好ましい。
【０１７３】
上記実施形態において、内部スペーサ２Ａの延出部２１２Ａは、内部スペーサ２Ａの傾斜面２１６Ａの一部又は外部スペーサ２Ｂの傾斜面２１６Ｂの一部と接するようになっていたが、これに限定されるものではない。例えば、内部スペーサ２Ａの延出部２１２Ａは、内部スペーサ２Ａの傾斜面２１６Ａの全域又は外部スペーサ２Ｂの傾斜面２１６Ｂの全域と接してもよい。
【０１７４】
このようにすれば、冷却風の流通方向における対向部２１０Ａ間の全域において、該対向部２１０Ａ間を対向部２１０Ａの通風路２０３Ａ側の端縁から通風路２０３Ａと反対側の端縁に向かう空気の流れが妨げられる。これにより、一対の対向部２１０Ａ間を通じて冷却風が蓄電装置の外部への漏れるのをより効果的に抑えることができる。
【符号の説明】
【０１７５】
１…蓄電素子、２…スペーサ、２Ａ…内部スペーサ、２Ｂ…外部スペーサ、３…保持部材、４…インシュレータ、１０…ケース、１１…外部端子、２０…ベース、２０Ａ…ベース、２０Ｂ…ベース、２１Ａ…規制部、２１Ｂ…規制部、２２Ｂ…嵌合部、２３Ｂ…軸部、３０…終端部材、３１…フレーム、３１Ａ…第一フレーム、３１Ｂ…第二フレーム、４０…第一絶縁部、４１…第二絶縁部、４２…第三絶縁部、１００…ケース本体、１００ａ…閉塞部、１００ｂ…胴部、１００ｃ…第一壁、１００ｄ…第二壁、１０１…蓋板、２００Ａ…第一当接部、２００Ｂ…突出部（内部接触部）、２０１Ａ…第二当接部、２０１Ｂ…連接部、２０２Ａ…連接部、２０２Ｂ…通風路、２０３Ａ…通風路、２１０Ａ…第一規制片、２１０Ｂ…第一規制片、２１１Ａ…第二規制片、２１１Ｂ…第二規制片、２１２Ａ…延出部、２１２Ｂ…延出部、２１３Ａ…傾斜面（延出部の傾斜面）、２１３Ｂ…傾斜面（延出部の傾斜面）、２１４Ａ…延出面、２１４Ｂ…延出面、２１５Ａ…当接面、２１５Ｂ…当接面、２１６Ａ…傾斜面、２１６Ｂ…傾斜面、２１７Ａ…凹部、２１７Ｂ…凹部、３００…圧接部、３００ａ…挿込穴、３００ｂ…貫通穴、３１０…第一接続部、３１１…第二接続部、３１２…支持部、３１２ａ…第一支持部、３１２ｂ…第二支持部、３１３…固定部、３１３ａ…第一固定部、３１３ｂ…第二固定部、３１３ｃ…第一穴部、３１３ｄ…第二穴部、α…角度
【図１】
0006603536.tif 000002
【図２】
0006603536.tif 000003
【図３】
0006603536.tif 000004
【図４】
0006603536.tif 000005
【図５】
0006603536.tif 000006
【図６】
0006603536.tif 000007
【図７】
0006603536.tif 000008
【図８】
0006603536.tif 000009
【図９】
0006603536.tif 000010
【図１０】
0006603536.tif 000011
【図１１】
0006603536.tif 000012
【図１２】
0006603536.tif 000013
【図１３】
0006603536.tif 000014